(57)【要約】【課題】キャッシュレス投票システムにおける投票券払戻方法に関し，現金投票システムで購入された投票券をキャッシュレス投票システムの会員口座に払戻すことができるようにすることを目的とする。【解決手段】キャッシュレス投票端末４は，現金投票端末２で購入した投票券を受けると，投票券の投票情報を読み取ってキャッシュレス投票サーバ３に送信する。キャッシュレス投票サーバ３は，受け取った投票情報をもとに現金投票ホスト１に払戻依頼を行う。現金投票ホスト１は，投票が的中しているかを判定し，的中していれば払戻額を計算し，払戻額をキャッシュレス投票サーバ３に送信する。キャッシュレス投票サーバ３は，会員口座５の残高に払戻額を加算し，払戻額と会員口座５の残高とをキャッシュレス投票端末４に送信する。キャッシュレス投票端末４は，払戻額と口座残高とを表示する。【選択図】図１
2005135201.tif 000002
【特許請求の範囲】
【請求項１】
キャッシュレス投票を利用する会員の口座である会員口座の残高から投票を行い，会員口座への払戻を行うことが可能なキャッシュレス投票システムにおける投票券払戻方法であって，
現金投票システムにおいて現金で購入された投票券から投票情報を読み取る過程と，
前記投票情報をもとに，該投票券が的中しているか否かを判定する過程と，
前記投票券が的中している場合に該投票券に対する払戻額を取得する過程と，
前記会員口座の残高に前記払戻額を加算する過程とを有する
ことを特徴とするキャッシュレス投票システムにおける投票券払戻方法。
【請求項２】
キャッシュレス投票を利用する会員の口座である会員口座の残高から投票を行い，会員口座への払戻を行うことが可能なキャッシュレス投票システムであって，
現金投票システムにおいて現金で購入された投票券から投票情報を読み取る手段と，
前記投票情報をもとに，該投票券が的中しているか否かを判定する手段と，
前記投票券が的中している場合に該投票券に対する払戻額を取得する手段と，
前記会員口座の残高に前記払戻額を加算する手段とを備えた
ことを特徴とするキャッシュレス投票システム。
【請求項３】
投票券を購入することにより現金での投票を行い，投票券を払戻すことにより現金への払戻を行うことが可能な現金投票システムと，キャッシュレス投票を利用する会員の口座である会員口座の残高から投票を行い，会員口座への払戻を行うことが可能なキャッシュレス投票システムとを備えるトータリゼータシステムであって，
前記キャッシュレス投票システムは，
前記現金投票システムにおいてキャッシュレス投票システムの会員によって現金で購入された投票券から投票情報を読み取る手段と，
前記投票情報を前記現金投票システムに送信する手段と，
前記現金投票システムから，前記投票券に対する払戻額を受信する手段と，
前記会員口座の残高に前記払戻額を加算する手段とを備え，
前記現金投票システムは，
前記キャッシュレス投票システムから，前記投票情報を受信する手段と，
前記投票情報から，該投票券が的中している場合にその投票券に対する払戻額を計算する手段と，
前記払戻額を前記キャッシュレス投票システムに送信する手段とを備える
ことを特徴とするトータリゼータシステム。
【請求項４】
キャッシュレス投票を利用する会員の口座である会員口座の残高から投票を行い，会員口座への払戻を行うことが可能なキャッシュレス投票システムにおけるキャッシュレス投票サーバの投票券払戻プログラムであって，
現金投票システムにおいて現金で購入された投票券から，端末に備えられた投票券読み取り装置により読み取った投票情報を受信する処理と，
前記投票情報をもとに，現金投票システムとの通信により，またはあらかじめ入手した確定情報との照合により，前記投票券が的中しているか否かを判定する処理と，
前記投票券が的中している場合に該投票券に対する払戻額を取得する処理と，
前記会員口座の残高に前記払戻額を加算する処理とを，
コンピュータに実行させるためのキャッシュレス投票サーバの投票券払戻プログラム。
【請求項５】
キャッシュレス投票を利用する会員の口座である会員口座の残高から投票を行い，会員口座への払戻を行うことが可能なキャッシュレス投票システムにおけるキャッシュレス投票サーバの投票券払戻プログラムを記録した記録媒体であって，
現金投票システムにおいて現金で購入された投票券から，端末に備えられた投票券読み取り装置により読み取った投票情報を受信する処理と，
前記投票情報をもとに，現金投票システムとの通信により，またはあらかじめ入手した確定情報との照合により，前記投票券が的中しているか否かを判定する処理と，
前記投票券が的中している場合に該投票券に対する払戻額を取得する処理と，
前記会員口座の残高に前記払戻額を加算する処理とを，
コンピュータに実行させるためのプログラムを記録した
ことを特徴とするキャッシュレス投票サーバの投票券払戻プログラムを記録した記録媒体。
【発明の詳細な説明】
【技術分野】
【０００１】
本発明は，競馬，競輪，競艇，オートレースなどに代表される競技において，投票券を払戻す計算機応用技術に関するものであり，特に，現金投票システムにおいて購入された投票券を，キャッシュレス投票システムにおいて会員口座に払戻す技術に関するものである。
【背景技術】
【０００２】
図１４は，投票システムの一例を示す図である。図１４には，現金で投票し，現金で払戻を受ける現金投票システム１００と，あらかじめ預け入れた金額内で投票し，その預け入れ金の増加分として払戻を受けるキャッシュレス投票システム２００とを有するトータリゼータシステム３００の例が示されている。
【０００３】
キャッシュレス投票システム２００を利用する競技ファンは，会員登録を行って会員となり，会員証４０１を用いて，キャッシュレス投票窓口２０１でキャッシュレス投票を行うことができる。その投票に関する情報は，端末管理サーバ２０２で管理される。キャッシュレス投票システム２００では，会員別に投票内容を把握しているため，会員はいちいち払戻を行う必要がなく，自動的に預かり金管理ＤＢ２０３に投票結果が反映される。
【０００４】
しかし，自動的に処理できるのは，そのキャッシュレス投票システム２００において行われた投票についてのみである。例えば，現金投票システム１００の投票窓口１０１で，磁気投票券やバーコード投票券などの投票券４０２を現金で購入したとしても，払戻すことができるのはその現金投票システム１００の払戻窓口１０２においてのみであり，キャッシュレス投票システム２００の預かり金管理ＤＢ２０３にある残金に反映させることはできない。
【０００５】
以下，現金投票システム１００，キャッシュレス投票システム２００，既存の現金投票システム１００にキャッシュレス投票システム２００を増設した投票システムについてより具体的に説明する。
【０００６】
図１５は，現金投票システムの構成例を示す図である。図１５の例における現金投票システム１００は，現金投票ホスト１０３と，現金投票端末１０４とで構成される。現金投票システム１００を利用する競技ファンは，現金投票端末１０４を用いて，投票券を購入し，的中した投票券（以下，的中券ともいう）を払戻す。ここでの現金投票端末１０４は，投票券を発券する発券機と投票券を払戻する払戻機とを兼ねるものとする。
【０００７】
現金投票ホスト１０３は，現金投票端末１０４から得られた投票情報（レース番号，投票番号，ベット金額等の情報）をもとに投票金額を集計し，配当，払戻金額などを計算する。しかし，この現金投票システム１００で扱う金額情報は，投票された金額と，確定後の払戻金額のみである。したがって，一時的に競技のファンの資金を預かることはできない。
【０００８】
図１６は，現金投票システムにおける現金投票処理のシーケンスである。現金投票端末１０４は，競技ファンからの投票カード（投票のためのマークカード等）と現金とを受け付けると（ＳＱ１００），その投票カードを読み取り（ＳＱ１０１），現金投票ホスト１０３に投票依頼を行う（ＳＱ１０２）。現金投票ホスト１０３は，投票登録を行い，集計管理情報を更新し（ＳＱ１０３），現金投票端末１０４に投票受付完了を通知する（ＳＱ１０４）。現金投票端末１０４は，投票結果を画面に表示し（ＳＱ１０５），投票券を発行する（ＳＱ１０６）。
【０００９】
ここで，集計管理情報とは，すべての投票を管理する情報であり，投票数，投票金額を集計した情報や，発行した投票券の情報などを管理している。投票登録時の集計管理情報の更新では，新たな投票により投票数，投票金額，オッズ（配当）などを集計し直し，また，発行する投票券を一意に認識できるようにしておく。
【００１０】
図１７は，現金投票システムにおける現金払戻処理のシーケンスである。現金投票端末１０４は，競技ファンからの投票券を受け付けると（ＳＱ１１０），その投票券を読み取り（ＳＱ１１１），現金投票ホスト１０３に払戻依頼を行う（ＳＱ１１２）。現金投票ホスト１０３は，払戻処理を行い，集計管理情報を更新し（ＳＱ１１３），現金投票端末１０４に払戻受付完了を通知する（ＳＱ１１４）。現金投票端末１０４は，払戻結果を画面に表示し（ＳＱ１１５），競技ファンに現金（払戻金）を受け渡す（ＳＱ１１６）。
【００１１】
払戻処理時の集計管理情報の更新では，払戻が終わった投票券を認識できるようにしておく。これにより，２重の払戻が行われないようにする。
【００１２】
図１８は，キャッシュレス投票システムの構成例を示す図である。図１８におけるキャッシュレス投票システム２００は，キャッシュレス投票ホスト２０４と，キャッシュレス投票端末２０５と，会員口座２０６と，入出金端末２０７とで構成される。キャッシュレス投票システム２００の会員は，キャッシュレス投票端末２０５を用いて投票を行う。投票が的中した場合には，自動的に会員口座２０６に払戻が行われる。
【００１３】
キャッシュレス投票ホスト２０４は，キャッシュレス投票端末２０５から得られた投票情報をもとに投票金額を集計し，配当，払戻金額などを計算する。また，キャッシュレス投票ホスト２０４は，キャッシュレス投票システム２００の会員の会員情報の管理や，会員口座２０６の管理，投票情報の管理などを行なう。
【００１４】
現金投票システム１００と異なり，キャッシュレス投票システム２００は，会員の資金を一時的に預かるための口座（会員口座２０６）や，会員口座２０６への入出金のための端末（入出金端末２０７）を備えている。既存の電話投票やインターネット投票などは，銀行口座を会員口座２０６として利用したものである。
【００１５】
ここで，既存の現金投票システム１００にキャッシュレス投票システム２００を導入したいと考えた場合にまず思いつくのは，現金投票ホスト１０３の改造である。しかし，現金投票ホスト１０３をキャッシュレス投票に対応可能なホストに改造し，会員口座２０６を備え付けるのは，コストがかかるというばかりではなく，データベース増設の影響でシステムを不安定にしかねないため，通常は避ける。
【００１６】
そこで，既存の現金投票システム１００にキャッシュレス投票システム２００を導入する場合には，通常，キャッシュレス投票システム２００を現金投票システム１００の一部として増設するというかたちをとる。
【００１７】
図１９は，既存の現金投票システムにキャッシュレス投票システムを増設した投票システムの構成例（１）を示す図である。この投票システムでは，現金投票ホスト１０３の配下にキャッシュレス投票サーバ２０８が接続され，そのキャッシュレス投票サーバ２０８に，キャッシュレス投票端末２０５，会員口座２０６，入出金端末２０７が接続されている。
【００１８】
キャッシュレス投票サーバ２０８は，キャッシュレス投票システム２００固有の会員情報の管理や，会員口座２０６の管理，投票情報の管理を行う。投票金額の集計や配当，払戻金額の計算には全端末（１０４，２０５）の投票情報の集計が必要となるので，集計管理情報の管理は，キャッシュレス投票サーバ２０８では行われず，上位の現金投票ホスト１０３で一元的に行われる。
【００１９】
この既存の現金投票システム１００にキャッシュレス投票システム２００を増設したタイプの投票システムでは，投票端末が，現金投票端末１０４とキャッシュレス投票端末２０５とに区別される。現金投票を行う競技ファンは，現金を投票券と交換することで投票し，投票券を払戻すことで現金を受け取ることができる。一方，キャッシュレス投票の会員は，会員口座２０６に入金した金額の中から好きなだけ投票することができ，払戻金も自動的に会員口座２０６の残金に加算される。
【００２０】
しかし，キャッシュレス投票の会員となった競技ファンが，現金投票端末１０４で購入した投票券を払戻すことにより会員口座２０６の資金を増やしたり，会員口座２０６の資金と投票券とを交換することはできなかった。
【００２１】
図２０は，既存の現金投票システムにキャッシュレス投票システムを増設した投票システムにおける会員認証処理のシーケンスである。キャッシュレス投票端末２０５は，会員からの会員カード（会員証）を受け付けると（ＳＱ１２０），その会員カードを読み取り（ＳＱ１２１），キャッシュレス投票サーバ２０８に会員カードから読み取った会員ＩＤを送る（ＳＱ１２２）。キャッシュレス投票サーバ２０８は，会員ＩＤの照合を行い（ＳＱ１２３），会員口座２０６の残高を検出し（ＳＱ１２４），会員にまだ通知していない払戻履歴を検出し（ＳＱ１２５），キャッシュレス投票端末２０５に会員口座２０６の残高と払戻履歴とを送る（ＳＱ１２６）。キャッシュレス投票端末２０５は，払戻履歴を画面に表示し（ＳＱ１２７），会員口座２０６の残高を画面に表示する（ＳＱ１２８）。
【００２２】
ここで，払戻履歴とは，的中した投票の自動払戻の履歴である。キャッシュレス投票では自動的に払戻が行われるため，会員は，すでに払戻が行われているのかを認識することができない。そこで，会員認証時には，すでに自動払戻が行われた払戻履歴のうちまだ会員に通知していないものを検出し，それを会員に通知して自動払戻の確認を行う。
【００２３】
図２１は，既存の現金投票システムにキャッシュレス投票システムを増設した投票システムにおけるキャッシュレス投票処理のシーケンスである。キャッシュレス投票端末２０５は，会員からの投票を受け付けると（ＳＱ１３０），キャッシュレス投票サーバ２０８に投票情報を送信する（ＳＱ１３１）。キャッシュレス投票サーバ２０８は，投票手続きを行い（ＳＱ１３２），現金投票ホスト１０３に投票依頼を行う（ＳＱ１３３）。現金投票ホスト１０３は，投票登録を行い，集計管理情報を更新し（ＳＱ１３４），キャッシュレス投票サーバ２０８に投票受付完了を通知する（ＳＱ１３５）。キャッシュレス投票サーバ２０８は，会員口座２０６から投票額を引き落とし（ＳＱ１３６），キャッシュレス投票端末２０５に投票結果を送る（ＳＱ１３７）。キャッシュレス投票端末２０５は，投票結果を画面に表示し，レシートを発行する（ＳＱ１３８）。
【００２４】
図２２は，既存の現金投票システムにキャッシュレス投票システムを増設した投票システムにおけるキャッシュレス払戻処理のシーケンスである。キャッシュレス投票サーバ２０８は，会員のキャッシュレス投票が的中しているかを確認し（ＳＱ１４０），的中している場合には，払戻手続きを行い（ＳＱ１４１），現金投票ホスト１０３に払戻依頼を行う（ＳＱ１４２）。現金投票ホスト１０３は，払戻処理を行い，集計管理情報を更新し（ＳＱ１４３），キャッシュレス投票サーバ２０８に払戻受付完了を通知する（ＳＱ１４４）。キャッシュレス投票サーバ２０８は，会員口座２０６に払戻額を入金する（ＳＱ１４５）。
【００２５】
ここで，キャッシュレス投票サーバ２０８における的中確認は，現金投票ホスト１０３から定期的に送られてくる確定情報と，キャッシュレス投票サーバ２０８で管理している会員の投票情報との照会により自動的に行われる。また，会員への自動払戻の通知は，次の会員認証時に行われる。
【００２６】
図２３は，既存の現金投票システムにキャッシュレス投票システムを増設した投票システムの構成例（２）を示す図である。図２３の例は，２種類のキャッシュレス投票システム２００がある場合の例である。この投票システムでは，現金投票ホスト１０３に，キャッシュレス投票システムＡ２００ａと現金投票端末１０４を制御する端末制御装置１０５とが接続され，端末制御装置１０５に，各現金投票端末１０４とキャッシュレス投票システムＢ２００ｂとが接続されている。
【００２７】
キャッシュレス投票システムＡ２００ａは，キャッシュレス投票サーバＡ２０８ａと，会員口座２０６ａと，キャッシュレス投票端末２０５ａとで構成される。キャッシュレス投票システムＢ２００ｂは，キャッシュレス投票サーバＢ２０８ｂと，会員口座２０６ｂと，キャッシュレス投票端末２０５ｂとで構成される。会員口座２０６には，例えば，銀行口座を利用するものや，システム内のデータベースを利用するものなどがある。
【００２８】
キャッシュレス投票システムＡは，電話投票形式，インターネット投票形式等によって投票が行われる。また，キャッシュレス投票システムＢは，在席投票形式，キャッシュレス投票窓口形式等によって投票が行われる。双方のキャッシュレス投票システム２００は，互いに投票端末の種類やその接続先が異なるだけであり，キャッシュレス投票のしくみは同じである。
【００２９】
図２４は，図２３の各投票システムの特徴を整理した図である。この例の現金投票システム１００では，現金投票窓口やバウチャ投票窓口で投票が行われ，投票には現金投票端末１０４が用いられる。現金投票端末１０４では，現金，的中券，バウチャ券が取り扱われ，投票カードやキー入力等により投票が行われる。現金投票システム１００で投票が行われると，投票券が発行される。
【００３０】
キャッシュレス投票システムＡ２００ａでは，電話投票やインターネット投票などによって投票が行われ，投票にはキャッシュレス投票サーバＡ２０８ａに接続されたキャッシュレス投票端末２０５ａが用いられる。投票は，会員口座（銀行口座）２０６ａの資金を元手とし，音声認識やキー入力等により行われる。投票券は発行されない。
【００３１】
キャッシュレス投票システムＢ２００ｂでは，在席投票によって投票が行われるかキャッシュレス投票窓口で投票が行われ，投票にはキャッシュレス投票サーバＢ２０８ｂに接続されたキャッシュレス投票端末２０５ｂが用いられる。投票は，会員口座（システム内データベース）２０６ｂの資金を元手とし，投票カードやキー入力等により行われる。投票券は発行されない。
【００３２】
会員がキャッシュレス投票端末２０５を通じて投票を行う場合，キャッシュレス投票サーバ２０８が，現金投票ホスト１０３に対し，通常の現金投票と同様の手続きで投票登録を行う。このとき，キャッシュレス投票サーバ２０８は，投票金額を会員口座２０６から引落すため，キャッシュレス投票端末２０５から投票する会員は，会員認証さえ行えば，投票時に現金を使用する必要はない。
【００３３】
一方，投票内容はキャッシュレス投票サーバ２０８が保持し，投票内容が的中した場合には，キャッシュレス投票サーバ２０８は，現金投票ホスト１０３に対して自動的に払戻手続きを行い，払戻金額を会員口座２０６に入金する。
【００３４】
現金投票では投票・払戻とも一貫して現金で取り扱うのに対し，キャッシュレス投票では投票・払戻とも一貫して会員口座２０６の残金で取り扱い，互いにシステム間で資金の移動はない。よって，会員口座２０６に入金する手段として現金や自動払戻は可能であるが，現金投票システム１００の発行物である的中券，バウチャ券を使用して入金することは不可能である。
【００３５】
図２５は，キャッシュレス投票サーバにおける処理フローチャートの例を示す図である。図２５の例は，図２３において電話投票やインターネット投票による投票を受け付けるキャッシュレス投票サーバＡ２０８ａにおける処理の例である。ここで，投票を行う会員をＣさんとする。
【００３６】
まず，Ｃさんから会員口座２０６ａに入金があれば（ステップＳ１００），Ｃさんの会員口座２０６ａの残高に入金額を加える（ステップＳ１０１）。Ｃさんからの投票があれば（ステップＳ１０２），現金投票ホスト１０３に対して投票手続きを行い（ステップＳ１０３），Ｃさんの会員口座２０６ａの残高から投票額を差し引く（ステップＳ１０４）。Ｃさんの投票が的中すれば（ステップＳ１０５），現金投票ホスト１０３に対して払戻手続きを行い（ステップＳ１０６），Ｃさんの会員口座２０６ａの残高に払戻額を加える（ステップＳ１０７）。
【００３７】
ここで，従来のキャッシュレス投票システムに関する技術について，いくつかの例を説明する。
【００３８】
キャッシュレス投票システムに関する従来の技術として，キャッシュレス投票システムにプリペイドカードを利用した投票券発売機を組み合わせた技術がある（例えば，特許文献１参照）。この技術では，キャッシュレス投票システムにおける会員口座の残高不足を，プリペイドカードからの減額により補うようにしている。
【００３９】
また，キャッシュレス投票システムに関する従来の技術として，電子マネーカードを用いることにより，現金による投票，払戻をなくす技術がある（例えば，特許文献２参照）。この技術では，電子マネーカードを用いて銀行口座の預金で投票を行い，銀行口座への払戻を行っている。
【００４０】
また，キャッシュレス投票システムに関する従来の技術として，専用カードを用いて銀行口座の預金で投票を行い，銀行口座への払戻を行う技術がある（例えば，特許文献３参照）。この技術では，専用カードに投票に関する情報を書き込んでいる。
【００４１】
これらのキャッシュレス投票システムに関する従来の技術（特許文献１〜３）は，いずれも銀行口座等の預金で投票を行い，銀行口座等に払戻を行う技術であった。
【特許文献１】特開平７−９８７３５号公報
【特許文献２】特開２００２−２５９８６２号公報
【特許文献３】特開平１０−４９７１９号公報
【発明の開示】
【発明が解決しようとする課題】
【００４２】
図２６は，従来における現金投票システムとキャッシュレス投票システムの投票方法，払戻方法の対応を示す図である。図２６に示すように，従来は，現金投票システムにおいて現金で購入された投票券を，キャッシュレス投票システムにおいて銀行口座等の会員口座に払戻す技術は存在しなかった。
【００４３】
よって，キャッシュレス投票システムの会員は，会員口座がシステム内データベースである場合には，キャッシュレス投票サーバに接続された専用の入出金端末がある窓口に足を運んで入金手続きを行う必要があり，会員口座が銀行口座である場合には，最寄のＡＴＭ，銀行，インターネットバンキング等で入金手続きを行う必要があった。
【００４４】
そのため，例えば，キャッシュレス投票システムを競技場の指定席で運用した場合には，会員はレース場に来る前もしくは入場直後に入出金端末から投票資金を入金しなければならなく，また，途中で口座資金が不足した場合には，たとえ入出金端末のある窓口が遠くとも，そこまで足を運んで補充を行わなければならなかった。
【００４５】
本発明は，上記問題点の解決を図り，現金投票システムにより購入されて的中した投票券を，キャッシュレス投票システムにより会員口座に補充することが可能となる技術を提供することを目的とする。
【課題を解決するための手段】
【００４６】
本発明は，上記課題を解決するため，現金投票システムにより発券された投票券を読み込むことが可能な磁気読取機能やバーコード読取機能などをキャッシュレス投票システムに付加することにより，現金で購入された投票券をキャッシュレス投票システムで会員口座に払戻すことを可能とすることを特徴とする。
【００４７】
具体的には，キャッシュレス投票システムにおける投票券払戻方法であって，現金投票システムにおいて現金で購入された投票券から投票情報を読み取る過程と，投票情報をもとに，投票券が的中しているかを判定する過程と，投票券が的中している場合に投票券に対する払戻額を取得する過程と，会員口座の残高に払戻額を加算する過程とを有することを特徴とする。
【００４８】
また，以上の処理は，コンピュータとソフトウェアプログラムとによって実現することができ，そのプログラムをコンピュータ読み取り可能な記録媒体に記録することも，ネットワークを通して提供することも可能である。
【発明の効果】
【００４９】
本発明によって，現金投票システムで購入された投票券をキャッシュレス投票システムで払戻すことが可能となるため，現金投票システムの払戻窓口の混雑を分散させることができる。
【００５０】
また，本発明によって，キャッシュレス投票システムの会員は，現金投票システムの払戻窓口まで行かなくとも，キャッシュレス投票窓口で投票券を払戻すことができる。また，遠くの入出金端末まで行かなくとも，手元の的中した投票券で会員口座への入金を行うことができる。
【００５１】
なお，本発明ではキャッシュレス投票システムも現金投票システムも同じトータリゼータシステムの一部であるので，本発明は，既存のシステムにおいてそれぞれの投票システムが管理するデータの整合性を新たにとり直す必要がなく，既存のシステムのわずかな変更で容易に実現することができる。
【発明を実施するための最良の形態】
【００５２】
以下，本発明の実施の形態について，図を用いて説明する。
【００５３】
図１は，本発明の実施の形態における投票システムの構成例を示す図である。図１の投票システムは，既存の現金投票システムにキャッシュレス投票システムを増設した投票システムの例である。本投票システムは，現金投票ホスト１，現金投票端末２，キャッシュレス投票サーバ３，キャッシュレス投票端末４，会員口座５，入出金端末６から構成される。入出金端末６は，従来と同様に，会員口座５への入金時に使用される。
【００５４】
図２は，本実施の形態のキャッシュレス投票システムにおける投票券払戻の流れを説明する図である。図２を用いて，現金投票システムにより購入して的中した投票券を，キャッシュレス投票システムで払戻す手順を説明する。
【００５５】
まず，キャッシュレス投票端末４は，現金投票システムで購入された投票券に記録された投票情報を読み取る（ステップＳ１）。ここで，投票情報は，投票券に磁気あるいは２次元バーコードとして記録されている。
【００５６】
図３は，本実施の形態における投票情報の例を示す図である。図３の例の投票情報は，“場名”，“開催日”，“レース”，“式別”，“ベット”の情報を有する。“場名”，“開催日”は競技が行われた場所，日付を示し，“レース”は何レース目であるかを示す。“式別”は，投票の種類を示す。例えば，図３の例では，式別が“２連単”となっているので，そのレースの１着，２着を着順通りにあてる投票となる。“ベット”は，どの目にどのくらいのお金を投票するかを示す。
【００５７】
図２において，キャッシュレス投票端末４は，キャッシュレス投票サーバ３に投票券から読み取った投票情報を送信する。
【００５８】
キャッシュレス投票サーバ３は，キャッシュレス投票端末４が投票券から読み取った投票情報を，現金投票ホスト１への問合せフォーマットに変換する（ステップＳ２）。通常，キャッシュレス投票システムが管理する情報のフォーマットと，現金投票システムが管理する情報のフォーマットとは互いにその形式が異なるので，システム間で情報のやり取りを行う場合には，その情報のフォーマット変換が必要となる。キャッシュレス投票サーバ３は，現金投票ホスト１に投票情報（フォーマット変換後）を送信し，払戻依頼を行う。
【００５９】
現金投票ホスト１は，確定情報を参照してキャッシュレス投票サーバ３から受け取った投票情報の的中判定を行い，的中している場合にはその払戻金額を計算する（ステップＳ３）。ここで，確定情報は，確定した競技結果に関する情報である。
【００６０】
図４は，本実施の形態における確定情報の例を示す図である。図４の例の確定情報は，“場名”，“開催日”，“式別”，“レース”，“確定”，“配当”の情報を有する。“場名”，“開催日”，“式別”，“レース”の項目については，図３の投票情報の例と同様である。“確定”は，確定した当たり目を示す。“配当”は，的中した場合に１００円のベットにつきいくら払戻されるかを示す。
【００６１】
図２において，現金投票ホスト１は，的中判定の結果と払戻金額とをキャッシュレス投票サーバ３に通知する。
【００６２】
キャッシュレス投票サーバ３は，現金投票ホスト１に問い合わせた投票情報が的中している場合には，会員口座５の残高に払戻金額を加算する（ステップＳ４）。非的中の場合には，会員口座５への処理は行わない。ここで，会員口座５を特定する会員認証は，投票券を読み取る前にすでに完了しているものとする。キャッシュレス投票サーバ３は，キャッシュレス投票端末４に的中判定の結果と会員口座５の残高とを通知する。
【００６３】
キャッシュレス投票端末４は，読み取った投票券の的中判定の結果（的中／非的中）を表示し，会員口座５の残高を表示する（ステップＳ５）。このとき，結果を印刷したレシートを発行してもよい。
【００６４】
図５は，本実施の形態におけるキャッシュレス投票サーバ，キャッシュレス投票端末の構成例を示す図である。
【００６５】
キャッシュレス投票サーバ３は，主制御部３１，端末管理部３２，トータリゼータ制御部３３，現金管理部３４，会員口座ＤＢ３５，会員管理ＤＢ３６，会員投票情報ＤＢ３７，レース情報ＤＢ３８から構成される。端末管理部３２はキャッシュレス投票端末４に，トータリゼータ制御部３３は現金投票ホスト１に，現金管理部３４は会員口座ＤＢ３５と入出金端末６とに接続されている。ここで，会員口座５が銀行の口座である場合には，現金管理部３４は，銀行システム５’に接続される。
【００６６】
図６は，本実施の形態における会員口座ＤＢの例を示す図である。会員口座ＤＢ３５は，会員口座５の残金等を管理するデータベースである。図６（Ａ），図６（Ｂ）の会員口座ＤＢ３５では，“口座番号”，“残高”の情報が管理されている。会員口座ＤＢ３５を参照することにより，口座番号から会員口座５の残高を検出することができる。
【００６７】
例えば，会員口座ＤＢ３５が図６（Ａ）であるときに，口座番号“１２３４５６”の会員口座５に１０，０００円の入金があれば，現金管理部３４は会員口座ＤＢ３５の内容を更新し，会員口座ＤＢ３５は図６（Ｂ）のようになる。
【００６８】
図７は，本実施の形態における会員管理ＤＢの例を示す図である。会員管理ＤＢ３６は，各会員ごとの会員情報を管理するデータベースである。図７の会員管理ＤＢ３６では，“会員ＩＤ”，“暗証番号”，“口座番号”の情報が管理されている。それぞれの会員ＩＤには，暗証番号が設定されており，会員カードのＩＤと会員から入力された暗証番号とを会員管理ＤＢ３６で参照することにより，会員認証を行うことができる。また，会員管理ＤＢ３６を参照することにより，会員ＩＤからその会員の会員口座５の口座番号を検出することができる。
【００６９】
図５において，会員投票情報ＤＢ３７は，会員が行ったキャッシュレス投票の投票情報や，会員のキャッシュレス投票の払戻履歴などを管理するデータベースである。また，レース情報ＤＢ３８は，競技プログラムや，競技の確定情報などを管理するデータベースである。会員のキャッシュレス投票の的中判定は，会員投票情報ＤＢ３７の投票情報と，レース情報ＤＢ３８の確定情報とを対照することにより行われる。
【００７０】
キャッシュレス投票端末４は，主制御部４１，入出力部４２，会員カード読取部４３，投票カード読取部４４，投票券読取部４５から構成される。主制御部４１はキャッシュレス投票サーバ３に接続されている。入出力部４２は，キーボード，ディスプレイ，タッチパネル等である。投票カード読取部４４は，会員がキャッシュレス投票を行うときに，会員の投票カードを読み取る手段である。
【００７１】
キャッシュレス投票端末４において，会員カード読取部４３は，キャッシュレス投票システムの会員の会員カードから会員ＩＤ等の会員情報を読み取り，主制御部４１は，その会員情報をキャッシュレス投票サーバ３の端末管理部３２に送信する。また，入出力部４２（キーボート等）は，会員から暗証番号等の情報の入力を受け，主制御部４１は，その暗証番号等の情報をキャッシュレス投票サーバ３の端末管理部３２に送信する。
【００７２】
ここで，キャッシュレス投票サーバ３とキャッシュレス投票端末４間の通信には，インターネットや電話回線等の公衆回線を使用してもよいし，場内等の限られた場所では有線／無線ＬＡＮや専用回線を使用してもよい。
【００７３】
キャッシュレス投票サーバ３において，主制御部３１は，端末管理部３２が受信した会員情報の会員ＩＤと会員管理ＤＢ３６で管理されている会員ＩＤとを対照し，端末管理部３２が受信した暗証番号等の情報とあわせて，会員であることを確認する。認証結果は，端末管理部３２から，キャッシュレス投票端末４に送られる。
【００７４】
キャッシュレス投票端末４において，端末管理部３２から認証結果を受けると，入出力部４２（ディスプレイ等）は，認証結果を表示する。
【００７５】
以上のような会員認証は，入出金の際に必ず必要となる手続きであり，従来のように入出金端末６で入出金する場合にも，同様の手続きを行う必要がある。
【００７６】
キャッシュレス投票端末４において，投票券読取部４５は，会員が現金投票システムにおいて現金で購入して的中した投票券に記録された投票情報を読み取り，主制御部４１は，その投票情報をキャッシュレス投票サーバ３の端末管理部３２に送信する。
【００７７】
ここで，投票券読取部４５は，キャッシュレス投票端末４に内蔵されたユニットでもよいし，外部接続の独立ユニットでもよい。投票券が磁気券の場合には磁気リーダを装備したユニットが必要となり，投票券がバーコード券の場合にはイメージスキャナを装備したユニットが必要となり，磁気券とバーコード券の両方に対応する場合には両方を装備したユニットが必要となる。また，バーコード券を読み取る場合には，バーコードの解析手段が必要となり，それをユニットに内蔵させて解析することもできるし，キャッシュレス投票端末４やキャッシュレス投票サーバ３で解析することもできる。
【００７８】
キャッシュレス投票サーバ３において，トータリゼータ制御部３３は，端末管理部３２が受信した投票情報をもとに，払戻手続きを行う。払戻手続きは，現金投票ホスト１への問合せによって行われる。
【００７９】
トータリゼータ制御部３３による払戻手続きが完了すると，現金管理部３４は，該当する会員の会員口座５の残金に払戻金額を加算する。このとき，会員口座５が同じシステム内のデータベースである場合には，直接そのデータベースにアクセスして残金を増やす。また，会員口座５が銀行の口座である場合には，銀行システム５’に対して入金の手続きを行う。
【００８０】
図８は，本実施の形態のキャッシュレス投票サーバにおける処理フローチャートの例を示す図である。ここで，投票を行う会員をＤさんとする。
【００８１】
まず，Ｄさんから会員口座５に入金があれば（ステップＳ１０），それが現金によるものか的中券によるものかを判定し（ステップＳ１１），現金によるものであれば，Ｄさんの会員口座５の残高に入金額を加える（ステップＳ１２）。的中券によるものであれば，現金投票ホスト１に対して払戻手続きを行い（ステップＳ１３），Ｄさんの会員口座５の残高に払戻額を加える（ステップＳ１４）。
【００８２】
Ｄさんからの投票があれば（ステップＳ１５），現金投票ホスト１に対して投票手続きを行い（ステップＳ１６），Ｄさんの会員口座５の残高から投票額を差し引く（ステップＳ１７）。Ｄさんの投票が的中すれば（ステップＳ１８），現金投票ホスト１に対して払戻手続きを行い（ステップＳ１９），Ｄさんの会員口座５の残高に払戻額を加える（ステップＳ２０）。
【００８３】
図９は，本実施の形態における投票券のキャッシュレス投票システムでの払戻処理のシーケンスである。図９の例では，会員認証はすでに済ませてあるものとする。
【００８４】
キャッシュレス投票端末４は，会員からの投票券を受け付けると（ＳＱ１），その投票券を読み取り（ＳＱ２），キャッシュレス投票サーバ３に投票券から読み取った投票情報を送信する（ＳＱ３）。キャッシュレス投票サーバ３は，投票が的中しているかを確認し（ＳＱ４），的中している場合には払戻手続きを行い（ＳＱ５），現金投票ホスト１に払戻依頼を行う（ＳＱ６)。ここで，投票券が的中していない場合には，キャッシュレス投票端末４がその旨を会員に通知する。
【００８５】
現金投票ホスト１は，払戻処理を行い（ＳＱ７），キャッシュレス投票サーバ３に払戻受付完了を通知する（ＳＱ８）。キャッシュレス投票サーバ３は，会員口座５の残高に払戻額を加え（ＳＱ９），キャッシュレス投票端末４に払戻結果を送る（ＳＱ１０）。キャッシュレス投票端末４は，払戻結果を画面に表示する（ＳＱ１１）。
【００８６】
図１０は，本実施の形態におけるキャッシュレス投票端末での操作画面の例を示す図である。画面Ｐ１は，会員認証を行う前に表示されている会員認証画面である。会員認証を求めるメッセージが表示されている。
【００８７】
画面Ｐ２は，会員認証後，まだ会員による確認が行われていない払戻履歴がある場合の払戻確認画面である。キャッシュレス投票により投票されて的中した投票は，自動的に会員口座５への払戻が行われる。その後の会員認証時に，会員が，払戻確認画面Ｐ２で自動払戻を確認できるようになっている。
【００８８】
画面Ｐ３は，会員認証後の接客画面である。会員認証を行った会員の現在の会員口座５の残高が表示されている。また，投票／払戻を求めるメッセージが表示されている。
【００８９】
画面Ｐ４は，接客画面Ｐ３において投票カードが読み込まれた場合の投票確認画面である。投票カードに記録されている投票内容に誤りがないかを，会員に確認するための画面である。
【００９０】
画面Ｐ５は，投票が終わった後の接客画面である。投票前（接客画面Ｐ３）に９０，０００円あった会員口座５の残高から，投票（投票確認画面Ｐ４）によって投票額２，０００円が差し引かれ，投票後（接客画面Ｐ５）には会員口座５の残高が８８，０００円になっている。
【００９１】
画面Ｐ６は，接客画面Ｐ３において投票券（的中券）が読み込まれた場合の払戻確認画面である。的中券に記録されている投票内容と，その払戻額が確認できる。
【００９２】
画面Ｐ７は，投票券の払戻が終わった後の接客画面である。払戻前（接客画面Ｐ３）に９０，０００円であった会員口座５の残高に，払戻（払戻確認画面Ｐ６）によって払戻額１０，０００円が加えられ，払戻後（接客画面Ｐ７）には会員口座５の残高が１００，０００円になっている。
【００９３】
図１１は，本実施の形態におけるキャッシュレス投票システムでの会員認証処理の詳細なシーケンスである。図１０の操作画面の例，図７の会員管理ＤＢ３６の例，図６の会員口座ＤＢ３５の例を用いて，本実施の形態における会員認証処理の詳細を説明する。
【００９４】
キャッシュレス投票端末４では，通常，会員認証画面（例えば，図１０の会員認証画面Ｐ１）が表示されている。
【００９５】
キャッシュレス投票端末４は，会員からの会員カードを受け付けると（ＳＱ２０），その会員カードを読み取り（ＳＱ２１），会員からの暗証番号の入力を受け付け（ＳＱ２２），キャッシュレス投票サーバ３に会員情報（会員ＩＤ等）と暗証番号とを送信する（ＳＱ２３）。
【００９６】
キャッシュレス投票サーバ３は，受信した会員情報の会員ＩＤで会員管理ＤＢ３６を検索し（ＳＱ２４），会員カードの会員ＩＤと入力された暗証番号との組み合わせが一致しているかを確認し（ＳＱ２５），一致していなければ（認証が失敗したならば），ＳＱ２９の処理に進む。一致していれば（認証が成功したならば），会員ＩＤから口座番号を検出し（ＳＱ２６），その口座番号で会員口座ＤＢ３５を検索し（ＳＱ２７），会員口座５の残高を検出する（ＳＱ２８）。
【００９７】
例えば，会員管理ＤＢ３６の状態が図７の状態であり，会員カードから読み取られた会員ＩＤが“０００００１”であり，さらに認証が成功すれば，会員ＩＤ“０００００１”で会員管理ＤＢ３６を検索し，口座番号“１２３４５６”が検出される。会員口座ＤＢ３５の状態が図６（Ａ）の状態であれば，検出された口座番号“１２３４５６”で会員口座ＤＢ３５を検索し，残高“￥９０，０００”が検出される。
【００９８】
キャッシュレス投票端末４に，認証結果を送信する（ＳＱ２９）。このとき，認証結果が成功であれば，同時に会員口座５の残高も送信する。
【００９９】
キャッシュレス投票端末４は，送られてきた認証結果が成功か失敗を確認し（ＳＱ３０），失敗ならば，その旨を会員に通知し，キャッシュレス投票端末４の画面を通常の状態（例えば，会員認証画面Ｐ１）に戻す。ここで，会員に暗証番号の再入力を求めるようにしてもよい。
【０１００】
認証結果が成功ならば，会員に残高を提示し（ＳＱ３１），投票カードか投票券の挿入を要求する。例えば，このときのキャッシュレス投票端末４の画面には，接客画面Ｐ３が表示されている。
【０１０１】
投票カードが読み込まれたら（ＳＱ３２），キャッシュレス投票処理を行い（ＳＱ３３），投票券が読み込まれたら（ＳＱ３４），投票券払戻処理を行う（ＳＱ３５）。また，終了（例えば，接客画面Ｐ３の終了ボタン）が選択されたなら（ＳＱ３６），キャッシュレス投票端末４の画面を通常の状態（例えば，会員認証画面Ｐ１）に戻す。
【０１０２】
ここで，ＳＱ３３のキャッシュレス投票処理については，従来と同様であるので詳細な説明を省略する。ＳＱ３５の投票券払戻処理については，以下にその詳細を説明する。
【０１０３】
図１２は，本実施の形態におけるキャッシュレス投票システムでの投票券払戻処理の詳細なシーケンスである。図１０の操作画面の例，図３の投票情報の例，図４の確定情報の例，図６の会員口座ＤＢ３５の例を用いて，本実施の形態における投票券払戻処理の詳細を説明する。例えば，キャッシュレス投票端末４の画面が接客画面Ｐ３であるときに投票券が挿入されると，投票券払戻処理が実行される。
【０１０４】
キャッシュレス投票端末４は，会員からの投票券を受け付けると（ＳＱ４０），投票券を読み取り（ＳＱ４１），キャッシュレス投票サーバ３に投票券から読み取った投票情報（例えば，図３の投票情報）を送信する（ＳＱ４２）。
【０１０５】
キャッシュレス投票サーバ３は，受け取った投票情報のフォーマットを現金投票システムのフォーマットに変換して払戻電文を作成し（ＳＱ４３），現金投票ホスト１にその払戻電文を送信することにより，払戻依頼を行う（ＳＱ４４）。
【０１０６】
現金投票ホスト１は，受け取った投票情報で確定情報（例えば，図４の確定情報）を検索し（ＳＱ４５），投票券が的中しているかを判定し（ＳＱ４６），的中していなければ，ＳＱ４９の処理に進む。的中していれば，その投票券の払戻額を計算し（ＳＱ４７），集計管理情報からその投票券の登録を削除する（ＳＱ４８）。キャッシュレス投票サーバ３に払戻結果（的中判定結果，払戻額等）を通知することにより，払戻応答を行う（ＳＱ４９）。
【０１０７】
例えば，払戻を行う投票券の投票情報が図３の投票情報であるときに，その投票情報で図４の確定情報を検索すると，１，０００円分購入している“１−２”の目が的中していることがわかる。配当が１，０００円（１００円あたり１，０００円）であるから，その払戻額は１０，０００円となる。
【０１０８】
キャッシュレス投票サーバ３は，受け取った払戻結果のフォーマットをキャッシュレス投票システムのフォーマットに変換（払戻結果解析）し（ＳＱ５０），的中していれば会員口座５に払戻額を振り込む（ＳＱ５１）。会員口座ＤＢ３５を更新（残高＋払戻額）し（ＳＱ５２），更新した残高を検出し（ＳＱ５３），キャッシュレス投票端末４に払戻結果，会員口座５の残高を送信する（ＳＱ５４）。
【０１０９】
例えば，図６（Ａ）の状態であった会員口座ＤＢ３５の口座番号“１２３４５６”の残高に，図３の投票情報と図４の確定情報とから得られた払戻額を加えることにより，会員口座ＤＢ３５は図６（Ｂ）の状態になる。払戻額（１０，０００円）により，口座番号“１２３４５６”の残高が，９０，０００円から１００，０００円に更新されている。
【０１１０】
キャッシュレス投票端末４は，受け取った払戻結果の的中／非的中を確認し（ＳＱ５５），非的中ならば，その旨を会員に通知し，ＳＱ５７に進む。的中ならば，画面に払戻確認画面（例えば，払戻確認画面Ｐ６）を表示して会員の確認をとる（ＳＱ５６）。
【０１１１】
会員口座５の残高を表示する（ＳＱ５７）。このとき，投票券が非的中であれば，もとの残高の画面（例えば，接客画面Ｐ３）が表示され，投票券が的中していれば払戻により更新された残高の画面（例えば，接客画面Ｐ７）が表示される。
【０１１２】
図１３は，本発明を利用したキャッシュレス投票の一例を説明するフローチャートである。図１３を用いて本発明を用いた簡単な例を説明する。図１３の例は，現金で購入して的中した何枚かの投票券（的中券）を持つキャッシュレス投票システムの会員が，会員口座５の残高が少なくなったときに，的中券で会員口座５への払戻を行い，その後キャッシュレス投票を行う例である。
【０１１３】
まず，会員は会員認証を行う（ステップＳ３０）。会員認証では，ＩＣカード，磁気カード，バーコードが印刷されたカード等を用いて，投票を行う会員が本人であることの認証を行う。本人の認証が完了すると，会員は会員口座５の残高分だけ投票が行えるようになる。
【０１１４】
続いて，会員は投票券の払戻を行う（ステップＳ３１）。現金で購入した投票券による払戻を行う場合には，投票券をキャッシュレス投票端末４に接続された（または内蔵された）磁気読取ユニットまたはバーコード読取ユニットに挿入し，その内容を読取らせる。その投票券が的中している場合には，払戻処理を行って会員口座５の残高に払戻額が加算される。払戻をすべき投票券がなくなるか，投票カードがキャッシュレス投票端末４に挿入されるまで，払戻を繰り返すことができる（ステップＳ３２）。
【０１１５】
次に，会員は，投票カード，手入力等により，キャッシュレス投票を行う（ステップＳ３３）。このとき，掛け金分の金額は，会員口座５の残高から差し引かれる。会員が投票をやめるか，会員口座５の残高がなくなるか，または運用規定上の投票回数を超えるまで投票を繰り返すことができる（ステップＳ３４）。
【図面の簡単な説明】
【０１１６】
【図１】本発明の実施の形態における投票システムの構成例を示す図である。
【図２】本実施の形態のキャッシュレス投票システムにおける投票券払戻の流れを説明する図である。
【図３】本実施の形態における投票情報の例を示す図である。
【図４】本実施の形態における確定情報の例を示す図である。
【図５】本実施の形態におけるキャッシュレス投票サーバ，キャッシュレス投票端末の構成例を示す図である。
【図６】本実施の形態における会員口座ＤＢの例を示す図である。
【図７】本実施の形態における会員管理ＤＢの例を示す図である。
【図８】本実施の形態のキャッシュレス投票サーバにおける処理フローチャートの例を示す図である。
【図９】本実施の形態における投票券のキャッシュレス投票システムでの払戻処理のシーケンスである。
【図１０】本実施の形態におけるキャッシュレス投票端末での操作画面の例を示す図である。
【図１１】本実施の形態におけるキャッシュレス投票システムでの会員認証処理の詳細なシーケンスである。
【図１２】本実施の形態におけるキャッシュレス投票システムでの投票券払戻処理の詳細なシーケンスである。
【図１３】本発明を利用したキャッシュレス投票の一例を説明するフローチャートである。
【図１４】投票システムの一例を示す図である。
【図１５】現金投票システムの構成例を示す図である。
【図１６】現金投票システムにおける現金投票処理のシーケンスである。
【図１７】現金投票システムにおける現金払戻処理のシーケンスである。
【図１８】キャッシュレス投票システムの構成例を示す図である。
【図１９】既存の現金投票システムにキャッシュレス投票システムを増設した投票システムの構成例（１）を示す図である。
【図２０】既存の現金投票システムにキャッシュレス投票システムを増設した投票システムにおける会員認証処理のシーケンスである。
【図２１】既存の現金投票システムにキャッシュレス投票システムを増設した投票システムにおけるキャッシュレス投票処理のシーケンスである。
【図２２】既存の現金投票システムにキャッシュレス投票システムを増設した投票システムにおけるキャッシュレス払戻処理のシーケンスである。
【図２３】既存の現金投票システムにキャッシュレス投票システムを増設した投票システムの構成例（２）を示す図である。
【図２４】図２３の各投票システムの特徴を整理した図である。
【図２５】キャッシュレス投票サーバにおける処理フローチャートの例を示す図である。
【図２６】従来における現金投票システムとキャッシュレス投票システムの投票方法，払戻方法の対応を示す図である。
【符号の説明】
【０１１７】
１    現金投票ホスト
２    現金投票端末
３    キャッシュレス投票サーバ
３１  主制御部
３２  端末管理部
３３  トータリゼータ制御部
３４  現金管理部
３５  会員口座ＤＢ
３６  会員管理ＤＢ
３７  会員投票情報ＤＢ
３８  レース情報ＤＢ
４    キャッシュレス投票端末
４１  主制御部
４２  入出力部
４３  会員カード読取部
４４  投票カード読取部
４５  投票券読取部
５    会員口座
５’  銀行システム
６    入出金端末
【図１】
2005135201.tif 000003
【図２】
2005135201.tif 000004
【図３】
2005135201.tif 000005
【図４】
2005135201.tif 000006
【図５】
2005135201.tif 000007
【図６】
2005135201.tif 000008
【図７】
2005135201.tif 000009
【図８】
2005135201.tif 000010
【図９】
2005135201.tif 000011
【図１０】
2005135201.tif 000012
【図１１】
2005135201.tif 000013
【図１２】
2005135201.tif 000014
【図１３】
2005135201.tif 000015
【図１４】
2005135201.tif 000016
【図１５】
2005135201.tif 000017
【図１６】
2005135201.tif 000018
【図１７】
2005135201.tif 000019
【図１８】
2005135201.tif 000020
【図１９】
2005135201.tif 000021
【図２０】
2005135201.tif 000022
【図２１】
2005135201.tif 000023
【図２２】
2005135201.tif 000024
【図２３】
2005135201.tif 000025
【図２４】
2005135201.tif 000026
【図２５】
2005135201.tif 000027
【図２６】
2005135201.tif 000028